(57)【要約】【課題】  合成樹脂製のアトロン内袋と金属缶とから構成される二重構造容器にあって、廃品処理に際し、両者の分解・分離を簡単且つ安全に達成できるようにする。【解決手段】  上端に注出筒２を有する合成樹脂製のアトロン内袋１と、天板１３と底板１４を有する筒形状で、アトロン内袋１の注出筒２が組み付く組付口１５を天板１３に設けた金属缶１１とから構成され、金属缶１１の底板１４に、開口縁を巻き加工して反転部１８とした開口部１７を開設し、この開口部１７に底蓋１９を前記金属缶１１内方より密嵌入することを特徴とする構成で、底蓋１９を、金属缶１１の底板１４の開口部１７に密嵌入する有底短筒体２０の上端に外鍔状のカール部２１を一体設して構成し、底蓋１９を外した後の開口部１７の開口縁を反転部１８とする巻き加工で安全にしたものである。【選択図】        図１
2006264713.tif 000002
【特許請求の範囲】
【請求項１】
上端に注出筒（２）を有する合成樹脂製のアトロン内袋（１）と、天板（１３）と底板（１４）を有する筒形状で、前記アトロン内袋（１）の注出筒（２）が組み付く組付口（１５）を前記天板（１３）に設けた金属缶（１１）とから構成され、前記金属缶（１１）の底板（１４）に、開口縁を巻き加工して反転部（１８）とした開口部（１７）を開設し、該開口部（１７）に底蓋（１９）を前記金属缶（１１）内方より密嵌入することを特徴とする二重構造容器。
【請求項２】
底蓋（１９）を、金属缶（１１）の底板（１４）の開口部（１７）に密嵌入する有底短筒体（２０）の上端に外鍔状のカール部（２１）を一体設して構成したことを特徴とする請求項１に記載の二重構造容器。
【発明の詳細な説明】
【技術分野】
【０００１】
本発明は、内部に合成樹脂製の袋或いは容器であるアトロン内袋を収容して二重構造としたアトロン缶容器に関する。
【背景技術】
【０００２】
灯油、有機溶剤、塗料、更には食用油や醤油等を収容する容器として金属缶が使用される。そしてこの種の金属缶容器では、収納液によって金属が変質しないように、或いは逆に、金属の錆によって収納液が変質しないように、金属缶容器の材料となる鋼板の内面に所定の厚さで樹脂コーティングを施し、或いは金属缶容器の材料としてラミネート鋼板を使用するのが一般である。
【０００３】
金属缶容器は、金属板を筒形状に加工した胴部の上端に天板、下端に底板を一体設した構成で、所定の樹脂コーティングを施した金属板を筒形状に加工する段階、この筒体の両端に天板や底板を巻き締め加工により組み付ける段階、更に天板に把手を付設するための溶接等を行う段階で、これ等の加工部分のコーティングが剥がれたり溶けたりするため、再度仕上げとしてこの加工部分に補修ニス塗料を塗布しなければならない手間がかかっており、しかもそれでも尚完全に補修できない問題があった。
【０００４】
この点に配慮して、金属缶の内部に合成樹脂製の袋或いは容器を収容して二重構造とした所謂アトロン缶と称される金属缶が開発されている。これは、収納液を合成樹脂製の容器等に収容することによって金属缶容器に収納液を直接触れないようにして影響を与えないようにし、強度に優れた金属缶容器によって合成樹脂製の容器等を外装保護しようとするものである。
【０００５】
また、これ等の缶の収納液を排出して缶を廃棄する場合、できるだけ嵩張らずに効率良く処分できるようにすることも要求されている。
【特許文献１】特開２００２−６８３０２号公報
【特許文献２】特開２００２−３７２５２号公報
【発明の開示】
【発明が解決しようとする課題】
【０００６】
上記した特許文献１の発明は、アトロン内袋と金属缶の二重構造としたアトロン缶にあって、このアトロン内袋の口筒を金属缶の口筒にいかに簡単に且つ強固に組み付けることができるかを課題としたものであるが、この組付きが強固であると、分解に手間のかかる別の問題が生じる。即ち、廃品の再利用の観点から、廃棄に際しては材質ごとに分別することが求められており、上記したアトロン缶のように、金属缶部分と合成樹脂製の袋或いは容器部分とは完全に分解・分離しなければ廃品処理できない。
【０００７】
一方、特許文献２の発明は、筒形状の金属缶にあって、天板と底板の周縁に予めスコア線を刻設しておき、使用済みの金属缶を廃品として処分する際にこのスコア線を破断して扁平に潰すことができるようにした構成であり、廃品処理を達成することが容易である利点を有する。
【０００８】
そこで、アトロン缶の金属缶を上記特許文献２の発明の如き構成とすれば、アトロン内袋と金属缶とを分解・分離する場合、アトロン内袋と金属缶との組付きを解除し、底板のスコア線を破断して開口させることにより金属缶の下方からアトロン内袋を取り外すことができ、前記したアトロン缶を材質ごとに分離して廃品処理を容易に実現することができる。
【０００９】
しかしながら、スコア線の破断端は鋭利であるため、アトロン内袋を取り外す際に怪我をするかも知れないということも配慮しなければならない。
よって本発明は、この従来の不満点を解消し要求に応えるべく発明された金属缶容器であって、アトロン内袋と金属缶の分解・分離を簡単且つ安全に達成できるようにすることを目的とする。
【課題を解決するための手段】
【００１０】
上記課題を解決するため本発明の二重構造容器は、上端に注出筒を有する合成樹脂製のアトロン内袋と、天板と底板を有する筒形状で、前記したアトロン内袋の注出筒が組み付く組付口を前記した天板に設けた金属缶とから構成され、金属缶の底板に、開口縁を巻き加工して反転部とした開口部を開設し、この開口部に底蓋を金属缶の内方より密嵌入することを特徴とする構成である。
【００１１】
この場合、底蓋を、金属缶の底板の開口部に密嵌入する有底短筒体の上端に外鍔状のカール部を一体設して構成する。
【発明の効果】
【００１２】
本発明の二重構造容器は上述した構成となっている。従って廃棄に際しては、底蓋を外部から打ち叩いて開口部から外し、金属缶の内方に落とし込めば、開口部は容易に開口する。そしてこの前後に於いて、アトロン内袋の注出筒を金属缶の天板の組付口から外しておき、開口した開口部からアトロン内袋を底蓋と共に取り出せば、合成樹脂製のアトロン内袋と金属缶とを分解・分離することができる。
【００１３】
また、開口した底板の開口部の開口縁は巻き加工が施されていて鋭利とはなっていないので、金属缶内のアトロン内袋や底蓋を取り出す際に怪我をする危険性を回避することができる。
【００１４】
底蓋は、金属缶の底板の開口部に密嵌入する有底短筒体の上端に外鍔状のカール部を一体設した構成であるので、収納液が収納されて重量が嵩んでいるアトロン内袋の負荷が底蓋にかかっても外れることはなく、上記密嵌入が強度を確保しながら確実に維持される。
【発明を実施するための最良の形態】
【００１５】
アトロン内袋１は、例えば耐薬品性の合成樹脂製であって、四角缶形状であり、頂板の隅部所定箇所に直線短円筒形状の注出筒２が立設され、この注出筒２の上端外周に係止外鍔３が周設される。
【００１６】
金属缶１１は、金属板を溶接により四角筒形状に成形した胴部１２の上下両端に、天板１３と底板１４を夫々巻き締めして成形するものであり、天板１３の隅部には組付口１５が開設され、この組付口１５の開口縁には複数の係止舌片１６が等間隔に起立設されている。
【００１７】
また、底板１４には、大きく開口部１７が開設され、この開口部１７の開口周縁は反転部１８として巻き加工を施し、開口部１７には、金属缶１１の内方から底蓋１９が密嵌入装着される。この底蓋１９は、開口部１７に密嵌入する有底短筒体２０の上端に外鍔状のカール部２１を一体設した構成である。
【００１８】
アトロン内袋１と金属缶１１との組付けは、天板１３を胴部１２に巻き締める前の段階で、アトロン内袋１の注出筒２を組付口１５に対応させ、注出筒２を組付口１５に下方から挿入して各係止舌片１６の上端を、組付口１５から上方に突出した注出筒２の係止外鍔３に下方から当接係止させ、カシメ加工して天板１３にアトロン内袋１を組付けることにより行う。
【００１９】
更に開口部１７に対する底蓋１９の密嵌入装着は、底板１４を胴部１２に巻き締める前の段階で、底板１４内面側から底蓋１９の有底短筒体２０を開口部１７に密嵌入し、カール部２１を底板１４内面の開口部１７周縁部に当接させて行う。この構成により、アトロン内袋１に収納液が充填されて重量負荷が底蓋１９に加えられたとしても、底蓋１９が開口部１７から抜け出てしまうことはない。
【００２０】
金属缶１１内にアトロン内袋１を収納組付けした二重構造の本発明のアトロン缶容器は、内容器であるアトロン内袋１自体が収納液に対する例えば耐薬品性を有しているので、収納液による溶融等の虞れはなく、逆に収納液にアトロン内袋１の成分が析出してしまうこともない。そして、外部からの衝撃に比較的弱いアトロン内袋１を、外部からの衝撃に強い金属缶１１によって保護することができる。
【００２１】
収納液は外容器である金属缶１１に直接触れることはないので、金属缶１１が多少錆びたとしてもその錆が収納液に影響を与えることはなく、内面に防食のため樹脂コーティングしたり補修ニスを塗布したりする必要もない。それ故、金属缶１１の成形時に溶接等の加工も自由に行える。
【００２２】
また、使用済みのアトロン缶容器を廃品として処分する場合には、図４（ａ）で示したアトロン内袋１の注出筒２の組付口１５への組付き状態で、先ずアトロン内袋１の注出筒２の係止外鍔３部分を外方から木槌やハンマーで叩き、係止外鍔３に下方から当接係止している各係止舌片１６を内側に反転させ、係止外鍔３を含む注出筒２を組付口１５内に弾性変形させながら陥没変位させて各係止舌片１６と係止外鍔３との当接係止を解除し、アトロン内袋１を金属缶１１の天板１３から分離させるのである（図４（ｂ））。
【００２３】
次に、金属缶１１を倒立させ、外部から底蓋１９を同様に木槌やハンマーで打撃して開口部１７から外し、この底蓋１９を金属缶１１の内方に落とし込めば、開口部１７は開口するので、組付口１５から外されたアトロン内袋１を底蓋１９と共に取り出すことができる。尚、開口部１７を図３で示したような四角形状としておけば、外した底蓋１９を開口部１７の対角線に沿って位置させることにより、金属缶１１内から容易に抜き取ることができる。
【図面の簡単な説明】
【００２４】
【図１】本発明の二重構造容器の底部の部分断面図である。
【図２】本発明の二重構造容器の全体を示す略断面の説明図である。
【図３】本発明の二重構造容器の底部の平面図である。
【図４】本発明の二重構造容器の天板の部分断面図で、（ａ）は金属缶内にアトロン内袋を収納組付けした状態、（ｂ）はアトロン内袋を強制的に外そうとする状態を示す。
【図５】本発明の金属缶の天板の要部を示す斜視図である。
【符号の説明】
【００２５】
１    アトロン内袋
２    注出筒
３    係止外鍔
１１  金属缶
１２  胴部
１３  天板
１４  底板
１５  組付口
１６  係止舌片
１７  開口部
１８  反転部
１９  底蓋
２０  有底短筒体
２１  カール部
【図１】
2006264713.tif 000003
【図２】
2006264713.tif 000004
【図３】
2006264713.tif 000005
【図４】
2006264713.tif 000006
【図５】
2006264713.tif 000007